(57)【要約】【課題】送風駆動源の出力の増大や駆動負荷の増大を招くことなく、着座者に円滑な空気の流れを付与することができる椅子の荷重支持構造物、椅子、及び、空調システムを提供する。【解決手段】荷重支持構造物は、少なくとも着座者からの荷重入力方向に沿う空気の流通を許容する通気性弾性部材１５と、通気性弾性部材１５の着座者側に面する荷重受け面と相反する側において、着座者から入力される荷重を通気性弾性部材１５を介して支持する荷重支持部と、通気性弾性部材１５側から空気を吸入して吸入した空気を外部に排出する吸気装置と、を備えている。吸気装置は、通気性弾性部材１５のうちの荷重受け面と相反する側の面に吸入部１７ｉを対向させた状態で荷重支持部に支持されている。【選択図】図８
2018108176.tif 000002
【特許請求の範囲】
【請求項１】
少なくとも着座者からの荷重入力方向に沿う空気の流通を許容する通気性弾性部材と、
前記通気性弾性部材の着座者側に面する荷重受け面と相反する側において、着座者から入力される荷重を前記通気性弾性部材を介して支持する荷重支持部と、
前記通気性弾性部材側から空気を吸入して吸入した空気を外部に排出する吸気装置と、を備え、
前記吸気装置は、前記通気性弾性部材のうちの前記荷重受け面と相反する側の面に吸入部を対向させた状態で前記荷重支持部に支持されていることを特徴とする椅子の荷重支持構造物。
【請求項２】
前記通気性弾性部材の前記荷重受け面のうちの着座者側からの吸気不要領域に、不通気性の吸入抑制シートが配置されていることを特徴とする請求項１に記載の椅子の荷重支持構造物。
【請求項３】
前記荷重支持部は、
硬質材料から成る支持ベースと、
該支持ベースに保持されて前記通気性弾性部材を保持する難通気性のクッション部材と、を備えていることを特徴とする請求項１または２に記載の椅子の荷重支持構造物。
【請求項４】
前記クッション部材の荷重入力側の縁部には、荷重入力側に向かって膨出して少なくとも内側の角部の近傍で前記通気性弾性部材に接触する膨出部が設けられていることを特徴とする請求項３に記載の椅子の荷重支持構造物。
【請求項５】
前記クッション部材の荷重入力側の面には、前記通気性弾性部材に対向する凹部が設けられていることを特徴とする請求項３または４に記載の椅子の荷重支持構造物。
【請求項６】
前記凹部は、前記荷重入力側の面に沿い前記吸気装置側に向かって延出する凹溝であることを特徴とする請求項５に記載の椅子の荷重支持構造物。
【請求項７】
前記通気性弾性部材は、前記荷重受け面に沿って延在する表面層と、前記荷重受け面に沿って延在し前記表面層と対向方向で離間して配置された裏面層と、前記表面層と前記裏面層を連結する接続層と、を有し、
前記表面層と前記裏面層とは、複数の線状体がメッシュ状に接合されてなり、
前記接続層は、荷重入力方向に沿う方向に弾性変形可能で前記表面層の線状体と前記裏面層の線状体を連結する複数の線状体によって構成されていることを特徴とする請求項１〜６のいずれか１項に記載の椅子の荷重支持構造物。
【請求項８】
請求項１〜７のいずれか１項に記載の椅子の荷重支持構造物が、座、または、背凭れとして用いられていることを特徴とする椅子。
【請求項９】
室内に空調空気を流通させる室内空調装置と、請求項８に記載の椅子を備えていることを特徴とする空調システム。
【発明の詳細な説明】
【技術分野】
【０００１】
本発明は、椅子の荷重支持構造物、椅子、及び、空調システムに関するものである。
【背景技術】
【０００２】
車両用の椅子として、着座者に快適性を与えるために、座面や、座面に隣接する乗員支持壁に、空気の吹出し部が設けられたものが知られている（例えば、特許文献１，２参照）。
【０００３】
この種の椅子は、送風手段であるファンと椅子の座面や乗員支持壁の間がダクトやチューブによって接続されている。車両に用いられる椅子においては、設置スペースや供給電力をある程度充分に確保することができるため、出力の大きい大型のファンにより、ダクトやチューブを通しても吹き出し部に充分な空気を送出することができる。
【０００４】
しかし、室内を移動させることを前提する事務用椅子等の場合、出力の大きい大型のファンを採用することは、スペース的にも電力供給の面でも難しい。そこで、これに対処するための椅子が案出されている（例えば、特許文献３参照）。
【０００５】
特許文献３に記載の椅子は、座のクッション上に前後方向に沿う凹部が設けられ、その凹部に流路形成部材が配置されるとともに、座の前端部側に流路形成部材に空気を送出するためのファンが設置されている。流路形成部材は、着座者の体重を受け止めつつ、前後方向の空気の流通を許容し得る構造が採用されている。また、座のクッションと流路形成部材の上面を覆う表皮材には、流路形成部材の後部に達した空気を着座者の背部側に吹き出すためのメッシュ状の排出口が形成されている。
【０００６】
この椅子の場合、椅子の前端部側に設置されたファンによって座内の流路形成部材を通して排出口に空気を送る構造とされているため、流路形成部材を流れる空気によって座面を冷却することができるとともに、排出口から吹き出した空気を着座者の背部に当てることができる。そして、この椅子の場合、ファンと流路形成部材の間にダクトやチューブが介装されていないため、比較的小出力の小型のフィンを採用しても、着座者の所定位置に空気を当てることができる。
【先行技術文献】
【特許文献】
【０００７】
【特許文献１】実開平２−３１５４６号公報
【特許文献２】実公平５−７９７０号公報
【特許文献３】特許第５６０５７７９号公報
【発明の概要】
【発明が解決しようとする課題】
【０００８】
しかしながら、特許文献３に記載の椅子の場合、ファンから流路形成部材の前部領域に対して、座の荷重入力方向と直交する方向から空気が送出される構造とされているため、流路形成部材の空気流通部の一部が着座者の荷重で狭められると、排出口に向かう空気の流れが阻害されてしまう。このため、充分な送気を得るためにはファンの出力をある程度以上小さくすることができない。また、流路形成部材の空気流通部の一部が着座者の荷重で狭められると、ファンの駆動負荷が大きくなり、騒音の発生原因となり易い。
【０００９】
そこで本発明は、送風駆動源の出力の増大や駆動負荷の増大を招くことなく、着座者に円滑な空気の流れを付与することができる椅子の荷重支持構造物、椅子、及び、空調システムを提供しようとするものである。
【課題を解決するための手段】
【００１０】
本発明に係る椅子の荷重支持構造物は、上記課題を解決するために、以下の構成を採用した。
即ち、本発明に係る椅子の荷重支持構造物は、少なくとも着座者からの荷重入力方向に沿う空気の流通を許容する通気性弾性部材と、前記通気性弾性部材の着座者側に面する荷重受け面と相反する側において、着座者から入力される荷重を前記通気性弾性部材を介して支持する荷重支持部と、前記通気性弾性部材側から空気を吸入して吸入した空気を外部に排出する吸気装置と、を備え、前記吸気装置は、前記通気性弾性部材のうちの前記荷重受け面と相反する側の面に吸入部を対向させた状態で前記荷重支持部に支持されていることを特徴とするものである。
【００１１】
上記の構成により、送風駆動源である吸気装置が駆動されると、通気性弾性部材の荷重受け面と相反する側の面から吸気装置の吸入部に直接空気が吸入されるようになる。このとき、通気性弾性部材は、荷重入力方向からの空気の流れを許容する構造とされているため、吸気装置には荷重入力方向から小さい流通抵抗をもって空気が吸入される。また、通気性弾性部材は、着座者からの荷重を受けて弾性変形するため、着座者の動きに応じても内部の空気が動く。このため、着座者が姿勢を僅かに変化させたとき等に接触部位で空気の流れを感じ、快適感を得ることができる。
【００１２】
前記通気性弾性部材の前記荷重受け面のうちの着座者側からの吸気不要領域には、不通気性の吸入抑制シートが配置されるようにしても良い。
この場合、通気性弾性部材の内側に流入した空気が、通気性弾性部材の荷重受け面のうちの吸気不要領域から着座者側に逃げるのを吸入抑制シートによって抑制することができる。したがって、この構成を採用した場合には、通気性弾性部材の上面の所望の位置から空気をより効率良く吸い込むことが可能になる。
【００１３】
前記荷重支持部は、硬質材料から成る支持ベースと、該支持ベースに保持されて前記通気性弾性部材を保持する難通気性のクッション部材と、を備えた構成としても良い。
この場合、支持ベースに保持された難通気性のクッション部材により、通気性弾性部材の所望の位置からの吸気を妨げることなく、通気性弾性部材とともに着座者を柔軟に受け止めることができる。
【００１４】
前記クッション部材の荷重入力側の縁部には、荷重入力側に向かって膨出して少なくとも内側の角部の近傍で前記通気性弾性部材に接触する膨出部が設けられるようにしても良い。
この場合、膨出部の内側の角部の近傍で通気性弾性部材を係止することができる。したがって、この構成を採用した場合には、通気性弾性部材の位置ずれを抑制することができる。したがって、この構成を採用した場合には、吸気装置の吸入部と通気性弾性部材の間の位置関係に変動が生じにくくなるため、吸気装置の吸入効率を常に良好に維持することができる。
【００１５】
前記クッション部材の荷重入力側の面には、前記通気性弾性部材に対向する凹部が設けられるようにしても良い。
この場合、通気性弾性部材の荷重受け面に沿う方向に流通しようとする空気の一部が凹部でバイパスして流れるようになるため、通気性弾性部材の広い範囲から空気を吸入装置に容易に吸入することが可能になる。
【００１６】
前記凹部は、前記荷重入力側の面に沿い前記吸気装置側に向かって延出する凹溝であることが望ましい。
この場合、荷重入力側の面に沿って吸気装置側に向かう空気の流れがよりスムーズになる。
【００１７】
前記通気性弾性部材は、前記荷重受け面に沿って延在する表面層と、前記荷重受け面に沿って延在し前記表面層と対向方向で離間して配置された裏面層と、前記表面層と前記裏面層を連結する接続層と、を有し、前記表面層と前記裏面層とは、複数の線状体がメッシュ状に接合されてなり、前記接続層は、荷重入力方向に沿う方向に弾性変形可能で前記表面層の線状体と前記裏面層の線状体を連結する複数の線状体によって構成されていても良い。
この場合、通気性弾性部材は、メッシュ状の表面層と裏面層が接続層の複数の線状体で連結されているため、荷重入力方向の空気の流れだけでなく、荷重入力方向と交差する方向の空気の流れも接続層の線状体間の隙間を通して許容する。また、接続層の線状体は、荷重入力方向に沿って弾性変形可能であるため、着座者の着座荷重を受けたときに通気性弾性部材が荷重入力方向に柔軟に弾性変形する。このため、着座者の着座感を良好に保つことができるうえ、着座者の僅かな動きに応じて内部の空気を容易に流動させることができる。
【００１８】
本発明に係る椅子は、上記課題を解決するために、上記のいずれかの荷重支持構造物が、座、または、背凭れとして用いられていることを特徴とするものである。
【００１９】
本発明に係る空調システムは、上記課題を解決するために、室内に空調空気を流通させる室内空調装置と、上記椅子を備えていることを特徴とするものである。
【発明の効果】
【００２０】
本発明によれば、通気性弾性部材が荷重入力方向からの空気の流れを許容する構造とされているとともに、吸気装置の吸入部に、通気性弾性部材の荷重受け面と相反する側の面から直接空気が吸入されるようになっているため、送風駆動源である吸入装置の出力の増大や駆動負荷の増大を招くことなく、着座者に円滑な空気の流れを付与することができる。
また、本発明によれば、通気性弾性部材が着座者からの荷重を受けて弾性変形するため、着座者が姿勢を僅かに変化させたとき等に、着座者の動きに応じて通気性弾性部材の内部の空気が動き、着座者が接触部位で空気の流れを感じることができる。したがって、着座者の快適感を高めることができる。
【図面の簡単な説明】
【００２１】
【図１】本発明の一実施形態に係る椅子の側面図である。
【図２】本発明の一実施形態に係る椅子の斜視図である。
【図３】本発明の一実施形態に係る椅子の座の平面図である。
【図４】本発明の一実施形態に係る椅子の座の一部部品を取り去った斜視図である。
【図５】本発明の一実施形態に係る椅子の座の分解斜視図である。
【図６】本発明の一実施形態に係る椅子の座の図３のＶＩ−ＶＩ線に沿う断面図である。
【図７】本発明の一実施形態に係る椅子の座の図３のＶＩＩ−ＶＩＩ線に沿う断面図である。
【図８】本発明の一実施形態に係る椅子の座の図３のＶＩＩＩ−ＶＩＩＩ線に沿う断面図である。
【図９】本発明の一実施形態に係る椅子の通気性弾性部材の一部を拡大した斜視図である。
【図１０】本発明の一実施形態に係る椅子の吹き出し部の斜視図である。
【図１１】本発明の一実施形態に係る空調装置のイメージ図である。
【図１２】本発明の他の実施形態に係る椅子の座の図６と同様の断面図である。
【発明を実施するための形態】
【００２２】
以下、本発明の一実施形態を図面に基づいて説明する。
なお、以下の説明においては、椅子１に正規姿勢で着座した人の正面となる向きを「前」と呼び、それと逆側の向きを「後」と呼ぶものとする。また、「上」，「下」と「左」，「右」については、椅子１に正規姿勢で着座した人の上方となる向きを「上」、それと逆側の向きを「下」と呼び、椅子１に正規姿勢で着座した人の左側となる向きを「左」、それと逆側の向きを「右」と呼ぶものとする。図中の適所には、前方を指す矢印ＦＲと、上方を指す矢印ＵＰと、左側方を指す矢印ＬＨが記されている。
【００２３】
図１は、本実施形態に係る椅子１の全体構成を示す側面図であり、図２は、椅子１を前部斜め上方から見た図である。
これらの図に示すように、本実施形態係る椅子１は、フロアＦ上に載置される脚部２と、脚部２の上端に設置されるボックス状の支基３と、支基３の上面に取り付けられた座受部材５と、座受部材５に前後位置調整可能に取り付けられ上面に着座者が着座する座４と、支基３から後部上方側に延出して座４に着座した着座者の背中を支持する背凭れ６と、座受部材５の左右の側部に取り付けられ座４に着座した着座者の腕先が載せ置かれる肘掛け１１と、を備えている。
【００２４】
脚部２は、キャスタ７ａ付きの多岐脚７と、多岐脚７の中央部より起立し昇降機構であるガススプリングを内蔵する脚柱８と、を備え、脚柱８の上端部に支基３が水平方向に回転可能に取り付けられている。
【００２５】
支基３には、脚柱８の昇降調整機構と背凭れ６の傾動調整機構が内蔵されている。脚柱８のガススプリングの操作部は、支基３内の昇降調整機構に連結されている。
【００２６】
背凭れ６は、側面視が略Ｌ字状の背凭れ支持フレーム９と、背凭れ支持フレーム９の後上部の前面に取り付けられ座４に着座した着座者の背中を直接支持する背凭れ本体１０と、を備え、背凭れ支持フレーム９の前部下端が支基３内の傾動調整機構に連結されている。
【００２７】
肘掛け１１は、座受部材５の左右の各側部から上方に起立する肘掛け支柱１１ａと、肘掛け支柱１１ａの上端部に保持された肘載せ部１１ｂと、を有している。肘載せ部１１ｂの上面は平坦に形成され、その平坦な上面に着座者の腕先が載せ置かれるようになっている。
【００２８】
本実施形態においては、座４が着座荷重支持構造体を構成している。
図３は、座４を上方から見た図であり、図４は、後述する張材１６を取り去って座４を前部斜め上方から見た図である。また、図５は、座４の分解斜視図であり、図６，図７，図８は、それぞれ図３のＶＩ−ＶＩ線沿う断面、ＶＩＩ−ＶＩＩ線沿う断面、ＶＩＩＩ−ＶＩＩＩ線沿う断面を示した図である。
【００２９】
座４は、硬質樹脂または金属から成る支持ベース１３と、支持ベース１３の上面側に載置されたクッション部材１４と、クッション部材１４の上面の一部に保持される通気性弾性部材１５と、通気性弾性部材１５の後縁部の上面を覆う吸入抑制シート２５と、クッション部材１４、通気性弾性部材１５、及び、吸入抑制シート２５の外側面と支持ベース１３の外周縁部を覆う通気性を有する張材１６と、を備えている。本実施形態においては、支持ベース１３とクッション部材１４が、着座者から入力される荷重を、通気性弾性部材１５を介して支持する荷重支持部を構成している。
【００３０】
また、座４は、支持ベース１３の後部寄りの下面に取り付けられた一対の送風ファン１７（吸気装置）と、各送風ファン１７の送出部１７ｏに接続された送気誘導ダクト１８（誘導通路）と、送気誘導ダクト１８の先端部に設けられた吹き出し部１９と、を備えている。送気誘導ダクト１８と吹き出し部１９は、送風ファン１７から送出された空気を所定方向に案内して吹き出す誘導吹き出し手段を構成している。
【００３１】
支持ベース１３は、四隅が緩やかに湾曲した略矩形状の平面視形状に形成され、その幅方向の中央領域が下方に凹状に湾曲している。支持ベース１３の上面には、支持ベース１３の外形よりも一回り大きく、上下方向に十分な厚みを有する平面視が略矩形状のクッション部材１４が載置されている。クッション部材１４は、ウレタン等の弾性を有する難通気性の樹脂材料によって構成されている。クッション部材１４の外周縁部は、支持ベース１３の外周縁部を覆うようにして被着されている。また、支持ベース１３の幅方向の中央領域で、かつ前後方向の中央よりも後方側に偏った位置（後縁部）には、上下方向に貫通する一対の貫通孔２０が形成されている。一対の貫通孔２０は、支持ベース１３に左右に離間して形成されている。支持ベース１３の下面には、吸入部１７ｉが各貫通孔２０に臨むように一対の送風ファン１７が取り付けられている。
【００３２】
クッション部材１４の上面には、図５に示すように、前後方向の中央よりも後部寄り位置から前端部に亘って平面視が略矩形状の窪み部２２が設けられている。窪み部２２内の後部寄り位置には、支持ベース１３の各貫通孔２０に連通する一対の連通孔２１が形成されている。各連通孔２１は、支持ベース１３の貫通孔２０の直上位置に上下方向に沿って形成されている。また、窪み部２２内には、前後方向に沿って延出する複数の凹溝２３（凹部）が形成されている。複数の凹溝２３は、クッション部材１４の前端部領域から送風ファン１７の吸入部１７ｉに向かう空気の流れを案内し、それによって通気性弾性部材１５内の空気の前後方向の流通抵抗を低減させる。
【００３３】
通気性弾性部材１５は、着座者からの荷重入力方向（上下方向）に沿う空気の良好な流通を許容するシート状の部材であり、平面視が略矩形状に形成されている。通気性弾性部材１５は、クッション部材１４の窪み部２２と略同幅でかつ、窪み部２２よりも前後方向の長さが長く形成されている。通気性弾性部材１５は、後縁部がクッション部材１４の一対の連通孔２１の上方に配置され、かつ前端部がクッション部材１４の前端部に達するようにクッション部材１４の上面に載置されている。
【００３４】
通気性弾性部材１５は、上面が着座者側に面する荷重受け面とされている。支持ベース１３の下面に設置された各送風ファン１７の吸入部１７ｉは、支持ベース１３の貫通孔２０とクッション部材１４の連通孔２１を通して通気性弾性部材の１５の後縁部の下面（荷重受け面と相反する側の面）に対向している。
【００３５】
本実施形態の場合、通気性弾性部材１５の左右の側縁部は、クッション部材１４の窪み部２２に挿入され係止されている。クッション部材１４の上面側の椅子幅方向で窪み部２２に隣接する部分（縁部）は、荷重入力側（上方側）に向かって膨出する膨出部２４を構成している。左右の各膨出部２４は、内側の角部の近傍で通気性弾性部材１５の左右の側縁部に当接し、それによって通気性弾性部材１５の左右方向の位置ずれを防止している。
【００３６】
なお、通気性弾性部材１５は、その左右の側縁部の上下方向の厚みが薄い場合には、各膨出部２４の上面の一部に載置されるようにしても良い。この場合も、膨出部２４の内側の角部の近傍が通気性弾性部材１５の側縁部に接触するようにすれば、通気性弾性部材１５の左右方向の位置ずれを防止することができる。また、図４中の符号５０は、着座者の着座状態と非着座状態を検出する着座センサである。着座センサ５０は、着座者が離席したときに送風ファン１７を自動的に停止させるために用いられる。
【００３７】
吸入抑制シート２５は、通気性弾性部材１５の後部側の上面を覆うように、クッション部材１４の後縁部に取り付けられている。吸入抑制シート２５は、ポレエチレンシート等の不通気性のシート材によって形成されており、通気性弾性部材１５の後縁部の上面からの通気性弾性部材１５の内部への直接的な空気の流入を抑制する。通気性弾性部材１５は、直下の送風ファン１７の吸入部１７ｉから吸引力を受けて上下左右前後の様々な方向から空気が流入するが、吸入抑制シート２５の配置されている領域では上方からの空気の流入が制限されている。なお、吸入抑制シート２５は、上記のポリエチレンシートの他、織り目の小さな織物や、編み目の小さな編物等であっても良い。
【００３８】
本実施形態の場合、着座者の臀部の後方側に位置される部分が吸気不要領域とされ、その部分に吸入抑制シート２５が設置されている。本実施形態においては、吸入抑制シート２５は、通気性弾性部材１５の上面のうちの送風ファン１７の吸入部１７ｉの直上位置に跨るように設置されている。なお、吸入抑制シート２５は、通気性弾性部材１５の上面の後縁部に限らず、通気性弾性部材１５の上面のうちの吸気が不要な領域であればいずれの部分に設置しても良い。
【００３９】
図９は、通気性弾性部材１５の一部を拡大して示した図である。
通気性弾性部材１５は、図９に示すように、上面（荷重受面）に沿って延在する表面層２６と、上面（荷重受面）に沿って延在し表面層２６と対向方向で離間して配置された裏面層２７と、表面層２６と裏面層２７の間にあって両者を連結する接続層２８と、を有している。表面層２６と裏面層２７とは、化学繊維や天然繊維等の各種の繊維から成る線状体２９がメッシュ状に接合された比較的に強度の高い層となっている。また、接続層２８は、荷重入力方向に沿う方向に弾性変形可能なナイロンやポリエステル等の材料から成る撚っていない複数の線状体３０（モノフィラメント）によって構成されており、表面層２６の線状体２９と裏面層２７の線状体２９を相互に連結している。
【００４０】
通気性弾性部材１５は、表面層２６と裏面層２７のメッシュ構造部が、接続層２８の線状体３０によって接続されているため、荷重入力方向（上下方向）の空気の流通を許容する。また、通気性弾性部材１５は、接続層２８の複数の線状体３０の間に隙間が設けられているため、荷重入力方向と交差する方向の空気の流通も許容する。
【００４１】
支持ベース１３の下面に取り付ける送風ファン１７は、本実施形態の場合、シロッコ式のファンによって構成されている。送風ファン１７の送出部１７ｏは、支持ベース１３の下方において左右の側部後方側に向かって開口している。各送出部１７ｏには、送気誘導ダクト１８が接続されている。送気誘導ダクト１８は、送風ファン１７の送出部１７ｏから支持ベース１３の下面に沿って先端部が支持ベース１３の側方に向かって延出している。送気誘導ダクト１８の先端部には、正面視が略Ｌ字状の吹き出し部１９が接続されている。吹き出し部１９は、支持ベース１３とクッション部材１４及び張材１６（座本体部）の左右の側面の外側を回り込んで先端部が上方に延出している。吹き出し部１９は、支持ベース１３の左右の側縁部の下面にブラケット３１（図３参照）を介して締結固定されている。
なお、本実施形態においては、送風誘導タクト１８は、可撓性を有する部材によって構成されている。これにより、座４を座受け部材５に対して前後方向に位置調整するときに、座と一体に移動した送気誘導ダクト１８が支基３側の部材と強接触するのを防止することができる。
【００４２】
図１０は、座４の左側方に配置される吹き出し部１９の先端部を左前部上方側から見た図である。
本実施形態の場合、吹き出し部１９は、座４の後部寄りの側方位置、より正確には、左右の対応する肘掛け１１の肘載せ部１１ｂの後部寄りの下方位置に配置されている。吹き出し部１９の先端部は、上方に向かって開口する吹き出し口１９ａの内側に、吹き出し角度調整用のルーバー５８が配置されている。本実施形態の場合、ルーバー５８は、左右方向に角度調整可能とされている。また、吹き出し部１９の外側側面には、角度調整用の回動操作子５５（操作子）が取り付けられている。回動操作子５５は、ルーバー５８の図示しない回動機構に連係され、着座者による回動操作によってルーバー５８の左右方向の指向角度を調整できるようになっている。
また、吹き出し部１９の先端部は、図示は省略されているが、椅子１の幅方向に沿う軸心周りに傾動調整可能とされている。これにより、着座者が吹き出し部１９の先端部を手で把持し、前後方向に傾動させることによって、吹き出し部１９の先端部からの空気の吹出し方向を前後に適正に調整することができる。
【００４３】
なお、本実施形態においては、吹き出し部１９の吹き出し角度を調整する調整子が回動操作子によって構成されているが、調整子は回動式に限るものでない。また、本実施形態においては、吹き出し部１９の空気の吹き出し方向が左右方向と前後方向に調整可能となっているが、吹き出し部１９での空気の吹き出し方向は、左右方向と前後方向のいずれか一方のみ調整できるようにしても良い。
【００４４】
また、図２，図３，図５，図６に示すように、左右の一方の吹き出し部１９の前面には、風量調整スイッチを兼ねる送風ファン１７の電源スイッチ５６が設置されている。電源スイッチ５６は、例えば、操作ノブをスライド操作するタイプのスイッチによって構成され、ノブの操作位置に応じて、送風ファン１７の電源のＯＮ，ＯＦＦと、送風モード（送風の強弱）の切り換えを行えるようになっている。
【００４５】
電源スイッチ５６は、図示しない配線によって、図８に示す送風ファン１７の制御装置５２に接続されている。送風ファン１７と制御装置５２には、送風ファン１７の駆動電源であるバッテリ５１が接続されている。
本実施形態の場合、バッテリ５１と制御装置５２は、座４の支持ベース１３の後縁部側の下面に取り付けられている。なお、バッテリ５１や制御装置５２の設置位置はこの位置に限るものでなく、例えば、背凭れ６等に設置するようにしても良い。
【００４６】
以上のように構成された椅子１は、以下のようにして着座者回りの空調が行われる。
即ち、座４に着座者が着座し、その状態で送風ファン１７の電源スイッチ５６が入れられると、座４の内部から左右の送風ファン１７の吸入部１７ｉに空気が吸入され、その空気が各送風ファン１７の送出部１７ｏから送気誘導ダクト１８を通って、各吹き出し部１９から吹き出される。吹き出し部１９から吹き出された空気は着座者の脇部や腕部等に空気流として当てられる。
【００４７】
また、送風ファン１７の吸入部１７ｉに吸引される空気は、図８に示すように、支持ベース１３の貫通孔２０とクッション部材１４の連通孔２１を通して通気性弾性部材１５の下面から吸い入れられる。通気性弾性部材１５は、送風ファン１７の吸入部１７ｉの直上部位置こそ吸入抑制シート２５によって上面側を閉塞されているものの、それよりも前方側の上面は閉塞されずに通気性の張材１６によって覆われている。このため、送風ファン１７の吸入部１７ｉには、張材１６の表面から通気性弾性部材１５の内部に流入した空気が吸い込まれる。このとき、張材１６のうちの着座者の着座位置の周囲から空気の吸い込みが行われ、このときの空気の流れが着座者に直接爽快感を与えるとともに、衣服や身体の水分の気化による冷却を促し、着座者に冷感を与える。
【００４８】
図１１は、本実施形態に係る椅子１の執務室６０内での使用形態の一例を示す図である。
同図において、符号６１は、執務室６０内に椅子１とともに設置されたデスク装置であり、符号６２は、執務室６０の天井ＣとフロアＦに設置された空調吹き出し部（室内に空調空気を流通させる室内空調装置）である。本使用形態においては、椅子１回りの空気の流れがタスク・アンビエント空調におけるタスク空調を構成している。
【００４９】
タスク・アンビエント空調は、室内を、作業域（タスク域）とそれ以外の周辺域（アンビエント域）とに区画し、周辺域の熱負荷等を処理するベース空調と、執務空間での人体発熱等を処理するタスク空調とで構成することで、快適性を損なわずに省エネルギー化を図る空調システムである。本使用形態における空調システムは、執務室６０内の空調吹き出し部６２がベース空調を構成し、着座者回りの空気の流れを提供する椅子１の空気流通部がタスク空調を構成している。
【００５０】
本実施形態に係る座４とその座４を用いる椅子１は、通気性弾性部材１５が上方（荷重入力方向）からの空気の流通を許容する構造とされているとともに、送風ファン１７が吸入部１７ｉを通気性弾性部材１５の下面に対向させた状態で座４の支持ベース１３に固定されている。このため、送風ファン１７の吸入部１７ｉには、通気性弾性部材１５の下面（荷重受け面と相反する側の面）から直接空気が吸入される。この結果、通気性弾性部材１５の上面側（張材１６）から、小さい吸入抵抗でもって空気をスムーズに吸入することが可能になる。
したがって、本実施形態に係る座４や椅子１を採用した場合には、送風駆動源である送風ファン１７の出力の増大や駆動負荷の増大を招くことなく、着座者に円滑な空気の流れを付与することができる。
【００５１】
本実施形態に係る座４や椅子１は、通気性弾性部材１５が着座者からの荷重を受けて弾性変形するため、着座者が姿勢を僅かに変化させたとき等に、着座者の動きに応じて通気性弾性部材１５の内部の空気が動き、着座者が接触部位で空気の流れを感じることができる。したがって、本実施形態に係る椅子１や座４を採用した場合には、着座者の快適感をより高めることができる。
【００５２】
また、本実施形態に係る座４や椅子１は、通気性弾性部材１５の上面（荷重受け面）のうちの着座者側からの吸気不要領域に、不通気性の吸入抑制シート２５が配置されている。このため、通気性弾性部材１５の上面の所望の領域から内部に流入した空気が、通気性弾性部材１５の上面の吸入不要領域から着座者側に逃げるのを吸入抑制シート２５によって抑制することができる。したがって、本実施形態に係る座４や椅子１を採用した場合には、通気性弾性部材１５の上面の所望の位置から空気をより効率良く吸い込むことができる。
特に、本実施形態においては、座４の上面のうちの着座者の臀部の後方に位置される部位に吸入抑制シート２５が配置されているため、着座者が座４に長時間着座した場合に腰部から下肢にかけてが冷却され過ぎるのを抑制することができる。
【００５３】
また、本実施形態においては、送風ファン１７の吸入部１７ｉの直上の通気孔２１の上方位置に吸入抑制シート２５が配置されているため、通気孔２１の直上から集中して吸引されるのを防ぎ、所望の領域から空気を分散して吸引することによって座４上で局所的な冷却が生じるのを防止することができる。
【００５４】
また、本実施形態に係る座４や椅子１は、座４の通気性弾性部材１５を支持する荷重支持部が、硬質材料から成る支持ベース１３と、支持ベース１３に保持されて通気性弾性部材１５を保持する難通気性のクッション部材１４と、を備えた構成とされている。このため、難通気性のクッション部材１４により、通気性弾性部材１５の所望の位置からの吸気を妨げることなく、通気性弾性部材１５とともに着座者の荷重を柔軟に受け止めることができる。したがって、本実施形態に係る座４や椅子１を採用した場合には、良好な座り心地を得ることができる。
【００５５】
また、本実施形態に係る座４や椅子１は、クッション部材１４の窪み部２２に隣接する左右の側縁部に、上方（荷重入力側）に向かって膨出して少なくとも内側の角部の近傍で通気性弾性部材１５に接触する膨出部２４が設けられている。このため、膨出部２４の角部の近傍で通気性弾性部材１５を係止し、通気性弾性部材１５の位置ずれを防止することができる。したがって、本実施形態に係る座４や椅子１を採用した場合には、椅子１の長期間の使用によっても送風ファン１７の吸入部１７ｉと通気性弾性部材１５の間の位置関係に変動が生じなくなるため、送風ファン１７の吸入効率を常に良好に維持することができる。
【００５６】
さらに、本実施形態に係る座４や椅子１は、クッション部材１４の上面（荷重入力側の面）に、通気性弾性部材１５の下面に対向し、かつ、送風ファン１７の吸入部１７ｉに向かって前後方向に延出する複数の凹溝２３が形成されている。このため、図８中の矢印で示すように、通気性弾性部材１５の内部を後方に向かって流通しようとする空気の一部は、通気性弾性部材１５を凹溝２３でバイパスして後方側に良好に流れることになる。したがって、本実施形態に係る座４や椅子１を採用した場合には、通気性弾性部材１５の前方側の広い範囲から空気を送風ファン１７に容易に吸入することができる。
特に、本実施形態においては、クッション部材１４の窪み部２２内の凹溝２３と連通する位置に通気孔２１の上部が開口しているため、凹溝２３から直接通気孔２１に向かう空気の流れが生じ吸気抵抗をより低減することができる。
なお、本実施形態においては、クッション部材１４の上面に、前後方向に沿う複数の凹溝２３が形成されているが、クッション部材１４の上面において、前後方向、及び、左右方向に空気のバイパス流れを許容する複数の凹部（凹凸部）を形成するようにしても良い。
【００５７】
また、本実施形態に係る座４で用いられる通気性弾性部材１５は、表面層２６と裏面層２７と、表面層２６と裏面層２７を連結する接続層２８と、を有し、表面層２６と裏面層２７は、複数の線状体２９がメッシュ状に接合されて成り、接続層２８は、上下方向に弾性変形可能で表面層２６の線状体２９と裏面層２７の線状体２９を連結する複数の線状体３０によって構成されている。この構成の通気性弾性部材１５を採用した場合、メッシュ状の表面層２６と裏面層２７が接続層２８の複数の線状体３０で連結されているため、上下方向（荷重入力方向）の空気の流通だけでなく、前後方向や左右方向（荷重入力方向と交差する方向）の空気の流通も接続層２８の線状体３０間の隙間を通して容易に許容することができる。
【００５８】
さらに、本実施形態の通気性弾性部材１５は、接続層２８の線状体３０が、上下方向（荷重入力方向）に沿って弾性変形可能であるため、着座者が座４に着座したときに上下方向に柔軟に弾性変形する。したがって、本実施形態の通気性弾性部材１５を採用した座４においては、着座者の着座感を良好に保つことができるうえ、着座者の僅かな動きに応じて座４の内部の空気を容易に流動させることができる。
【００５９】
また、本実施形態に係る座４や椅子１においては、送風ファン１７が座４の中央部ではなく着座者の着座中心から外れた後側の縁部（外周縁部）に配置されている。このため、着座者が座４に着座したときに、着座者の臀部が通気性弾性部材１５やクッション部材１４を介して送風ファン１７の設置部の突出部分に底付きしにくくなる。本実施形態に係る座４や椅子１を採用した場合には、座４における良好な着座感を得ることができる。
【００６０】
なお、本発明は上記の実施形態に限定されるものではなく、その要旨を逸脱しない範囲で種々の設計変更が可能である。例えば、上記の実施形態においては、座４が荷重支持構造物とされているが、荷重支持構造物は背凭れ６であっても良い。また、上記の実施形態においては、吸気装置である送風ファン１７が座４の支持ベース１３の下面に取り付けられているが、送風ファン１７は支持ベース１３の上面側に設置するようにしても良い。
【００６１】
また、上記の実施形態においては、座４の支持ベース１３の上部にクッション部材１４を設置し、そのクッション部材１４に通気性弾性部材１５を保持させているが、図１２に示すように、支持ベース１３上にクッション部材を設置せずに、通気性弾性部材１５を複数枚重ねて配置するようにしても良い。なお、図１２においては、上記の実施形態と同一部分に同一符号を付してある。
【符号の説明】
【００６２】
１  椅子
４  座（着座荷重支持構造体）
６  背凭れ
１３  支持ベース（荷重支持部）
１４  クッション部材（荷重支持部）
１５  通気性弾性部材
１７  送風ファン（吸気装置）
２３  凹溝（凹部）
２４  膨出部
２５  吸入抑制シート
２６  表面層
２７  裏面層
２８  接続層
２９，３０  線状体
６２  空調吹き出し部６２（室内空調装置）
【図１】
2018108176.tif 000003
【図２】
2018108176.tif 000004
【図３】
2018108176.tif 000005
【図４】
2018108176.tif 000006
【図５】
2018108176.tif 000007
【図６】
2018108176.tif 000008
【図７】
2018108176.tif 000009
【図８】
2018108176.tif 000010
【図９】
2018108176.tif 000011
【図１０】
2018108176.tif 000012
【図１１】
2018108176.tif 000013
【図１２】
2018108176.tif 000014